(57)【要約】キーワードを入力する入力手段１２と、動画サイトにアクセスし、前記キーワードを含む動画の識別情報と、前記動画のリンク先のアドレスとを取得する動画情報取得手段１４と、取得したアドレスに基づいて動画のサムネイルデータを取得し、動画のサムネイルを表示するサムネイル表示手段１５と、表示された動画のサムネイルを選択する選択手段１２，１５と、前記選択されたサムネイルの動画の識別情報が記憶される記憶手段１６と、動画サイトに選択された動画の削除を依頼するメールを生成するメール生成部１７を有することを特徴とする動画情報取得装置。
2008146813.tif 000002
【特許請求の範囲】
【請求項１】
画像情報取得装置であって、
キーワードを入力する入力手段と、
画像サイトにアクセスし、前記キーワードに関連する画像の識別情報と、前記画像のリンク先のアドレスとを取得する画像情報取得手段と、
前記取得したアドレスに基づいて画像のサムネイルデータを取得し、画像のサムネイルを表示するサムネイル表示手段と、
表示された画像のサムネイルを選択する選択手段と、
前記選択されたサムネイルの画像の識別情報が記憶される記憶手段と、
前記選択された画像の識別情報と、前記選択された画像の削除を依頼する削除依頼文とが記載された削除依頼メールを作成するメール作成手段と
を有することを特徴とする画像情報取得装置。
【請求項２】
選択されなかった画像の識別情報が記憶される記憶手段を有し、
前記サムネイル表示手段は、新たに取得した画像の識別情報と、前記記憶されている選択されなかった画像の識別情報とを比較し、識別情報が同じ画像はサムネイルの表示から除外する
ことを特徴とする請求項１に記載の画像情報取得装置。
【請求項３】
前記画像情報取得手段は、画像サイトのリソースを取得し、前記キーワードを含むリソースから画像の識別情報及び画像のリンク先のアドレスを取得するように構成されていることを特徴とする請求項１又は請求項２に記載の画像情報取得装置。
【請求項４】
前記画像が動画であることを特徴とする請求項１から請求項３のいずれかに記載の画像情報取得装置。
【請求項５】
前記サムネイル表示手段は、選択されたサムネイルの画像の動画を再生する再生手段を有することを特徴とする請求項４に記載の動画情報取得装置。
【請求項６】
前記画像情報取得手段が取得した画像の情報に基づいて、違法な画像を検出する違法画像検出手段を有することを特徴とする請求項１から請求項５のいずれかに記載の画像情報取得装置。
【請求項７】
前記削除依頼メールを送信した画像サイトに対して、削除依頼を行った画像が削除されているかを確認する削除確認手段を有することを特徴とする請求項１から請求項６のいずれかに記載の画像情報取得装置。
【請求項８】
他のサイトを参照し、画像サイトに投稿された画像のキーワードを取得する画像キーワード取得手段を有し、
前記画像情報取得手段は、前記画像キーワード取得手段が取得したキーワードに関連する画像の識別情報と、前記画像のリンク先のアドレスとを取得する
ことを特徴とする請求項１から請求項７のいずれかに記載の画像情報取得装置。
【請求項９】
画像サイトから画像情報を取得する画像情報取得方法であって、
画像サイトにアクセスし、入力されたキーワードを含む画像の識別情報と、前記画像のリンク先のアドレスとを取得する画像情報取得処理と、
前記取得したアドレスに基づいて画像のサムネイルデータを取得し、画像のサムネイルを表示するサムネイル表示処理と、
表示された画像のサムネイルから、ユーザに、所定のサムネイルを選択させ、前記選択されたサムネイルの画像の識別情報を記憶する画像識別情報記憶処理と、
前記選択された画像の識別情報と、前記選択された画像の削除を依頼する削除依頼文とが記載された画像削除依頼メールを作成する画像削除依頼メール生成処理と
を有することを特徴とする画像情報取得方法。
【請求項１０】
ユーザに選択されなかった画像の識別情報を記憶する処理と、
新たに取得した画像の識別情報と、前記記憶されている選択されなかった画像の識別情報とを比較し、識別情報が同じ画像はサムネイルの表示から除外する処理と
を有することを特徴とする請求項９に記載の画像情報取得方法。
【請求項１１】
前記画像情報取得処理は、画像サイトのリソースを取得し、前記キーワードを含むリソースから画像の識別情報及び画像のリンク先のアドレスを取得することを特徴とする請求項９又は請求項１０に記載の画像情報取得方法。
【請求項１２】
前記画像が動画であることを特徴とする請求項９から請求項１１のいずれかに記載の画像情報取得方法。
【請求項１３】
前記サムネイル表示処理は、サムネイル表示されている動画を再生する処理を有することを特徴とする請求項１２に記載の画像情報取得方法。
【請求項１４】
前記画像情報取得処理で取得した画像の情報に基づいて、違法な画像を検出する違法画像検出処理を有することを特徴とする請求項９から請求項１３のいずれかに記載の画像情報取得方法。
【請求項１５】
前記削除依頼メールを送信した画像サイトに対して、削除依頼を行った画像が削除されているかを確認する削除確認処理を有することを特徴とする請求項９から請求項１４のいずれかに記載の画像情報取得方法。
【請求項１６】
他のサイトを参照し、画像サイトに投稿された画像のキーワードを取得する画像キーワード取得処理を有し、
前記画像情報取得処理は、前記画像キーワード取得処理で取得したキーワードに関連する画像の識別情報と、前記画像のリンク先のアドレスとを取得する
ことを特徴とする請求項９から請求項１５のいずれかに記載の画像情報取得方法。
【請求項１７】
情報処理装置のプログラムであって、
画像サイトにアクセスし、入力されたキーワードを含む画像の識別情報と、前記画像のリンク先のアドレスとを取得する画像情報取得処理と、
前記取得したアドレスに基づいて画像のサムネイルデータを取得し、画像のサムネイルを表示するサムネイル表示処理と、
表示された画像のサムネイルから、ユーザに、所定のサムネイルを選択させ、前記選択されたサムネイルの画像の識別情報を記憶する画像識別情報記憶処理と、
前記選択された画像の識別情報と、前記選択された画像の削除を依頼する削除依頼文とが記載された画像削除依頼メールを作成する画像削除依頼メール生成処理と
を情報処理装置に実行させることを特徴とするプログラム。
【請求項１８】
ユーザに選択されなかった画像の識別情報を記憶する処理と、
新たに取得した画像の識別情報と、前記記憶されている選択されなかった画像の識別情報とを比較し、識別情報が同じ画像はサムネイルの表示から除外する処理と
を情報処理装置に実行させることを特徴とする請求項１７に記載のプログラム。
【請求項１９】
前記画像情報取得処理は、画像サイトのリソースを取得し、前記キーワードを含むリソースから画像の識別情報及び画像のリンク先のアドレスを取得することを特徴とする請求項１７又は請求項１８に記載のプログラム。
【請求項２０】
前記画像が動画であることを特徴とする請求項１７から請求項１９のいずれかに記載のプログラム。
【請求項２１】
前記サムネイル表示処理は、サムネイル表示されている動画を再生する処理を有することを特徴とする請求項２０に記載のプログラム。
【請求項２２】
前記画像情報取得処理で取得した画像の情報に基づいて、違法な画像を検出する違法画像検出処理を有することを特徴とする請求項１７から請求項２１のいずれかに記載のプログラム。
【請求項２３】
前記削除依頼メールを送信した画像サイトに対して、削除依頼を行った画像が削除されているかを確認する削除確認処理を有することを特徴とする請求項１７から請求項２２のいずれかに記載のプログラム。
【請求項２４】
他のサイトを参照し、画像サイトに投稿された画像のキーワードを取得する画像キーワード取得処理を情報処理装置に実行させ、
前記画像情報取得処理は、前記画像キーワード取得処理で取得したキーワードに関連する画像の識別情報と、前記画像のリンク先のアドレスとを取得する
ことを特徴とする請求項１７から請求項２３のいずれかに記載のプログラム。
【発明の詳細な説明】
【技術分野】
【０００１】
本発明は画像情報取得装置、その方法及びプログラムに関し、特に、動画サイト等から違法な動画や静止画の識別番号を自動的に取得する画像情報取得装置、その方法及びプログラムに関する。
【背景技術】
【０００２】
近年、YouTube（非特許文献１）に代表される動画投稿サイトが急速にアクセス数を伸ばし、2007年2月には日本からのアクセスが1000万人に達している。本来動画投稿サイトは、利用者がホームビデオで撮影した映像などを投稿するためのサイトである。しかし、録画したテレビ番組や市販のＤＶＤをそのまま無断で投稿した動画も多数投稿されているのが現状であり、これらの動画は著作権を侵害する恐れがあり、著作権者の利益を害する。【０００３】
一方、動画投稿サイト側でも、利用規約で著作権侵害になるファイルのアップロードを禁止しているが、著作権侵害になるファイルのアップロードは後を絶たないのが現状である。【０００４】
このような現状に鑑みて、現在、著作権者や著作権団体の担当者が、動画サイトを閲覧して違法動画を検索し、その動画のＩＤ（識別情報）を一つ一つ取得し、これらのＩＤを動画サイトの運営者に通知して削除依頼を行うことにより対処している。
【非特許文献１】“http://www.youtube.com/”
【発明の開示】
【発明が解決しようとする課題】
【０００５】
しかしながら、動画サイト側でも削除依頼を受ければその動画の削除を行うが、動画サイトにアップロードされる違法な動画は多数あり、それらの違法の動画のＩＤの取得する作業は、多くの労力と時間を必要とした。【０００６】
そこで、本発明は上記課題に鑑みて発明されたものであって、その目的は、動画サイト等の中から自動的に違法な動画や静止画の識別情報を取得することができる画像情報取得装置、その方法及びプログラムを提供することにある。
【課題を解決するための手段】
【０００７】
上記課題を解決する本発明は、画像情報取得装置であって、キーワードを入力する入力手段と、画像サイトにアクセスし、前記キーワードに関連する画像の識別情報と、前記画像のリンク先のアドレスとを取得する画像情報取得手段と、前記取得したアドレスに基づいて画像のサムネイルデータを取得し、画像のサムネイルを表示するサムネイル表示手段と、表示された画像のサムネイルを選択する選択手段と、前記選択されたサムネイルの画像の識別情報が記憶される記憶手段と、前記選択された画像の識別情報と、前記選択された画像の削除を依頼する削除依頼文とが記載された削除依頼メールを作成するメール作成手段とを有することを特徴とする。【０００８】
上記課題を解決する本発明は、画像サイトから画像情報を取得する画像情報取得方法であって、画像サイトにアクセスし、入力されたキーワードを含む画像の識別情報と、前記画像のリンク先のアドレスとを取得する画像情報取得処理と、前記取得したアドレスに基づいて画像のサムネイルデータを取得し、画像のサムネイルを表示するサムネイル表示処理と、表示された画像のサムネイルから、ユーザに、所定のサムネイルを選択させ、前記選択されたサムネイルの画像の識別情報を記憶する画像識別情報記憶処理と、前記選択された画像の識別情報と、前記選択された画像の削除を依頼する削除依頼文とが記載された画像削除依頼メールを作成する画像削除依頼メール生成処理とを有することを特徴とする。【０００９】
上記課題を解決する本発明は、情報処理装置のプログラムであって、画像サイトにアクセスし、入力されたキーワードを含む画像の識別情報と、前記画像のリンク先のアドレスとを取得する画像情報取得処理と、前記取得したアドレスに基づいて画像のサムネイルデータを取得し、画像のサムネイルを表示するサムネイル表示処理と、表示された画像のサムネイルから、ユーザに、所定のサムネイルを選択させ、前記選択されたサムネイルの画像の識別情報を記憶する画像識別情報記憶処理と、前記選択された画像の識別情報と、前記選択された画像の削除を依頼する削除依頼文とが記載された画像削除依頼メールを作成する画像削除依頼メール生成処理とを情報処理装置に実行させることを特徴とする。
【発明の効果】
【００１０】
本発明によれば、動画サイトの中から自動的に動画の識別情報を取得することができ、違法な動画のチェックをすることができ、更に、自動的に削除依頼のメールも作成することができる。
【図面の簡単な説明】
【００１１】
【図１】図１は本発明の実施の形態を説明する為の図である。
【図２】図２は情報処理装置１のブロック図である。
【図３】図３は本発明の実施の形態を説明する為の図である。
【図４】図４は本発明の実施の形態を説明する為の図である。
【図５】図５は本発明の実施の形態を説明する為の図である。
【図６】図６は本発明の第２の実施の形態を説明する為の図である。
【図７】図７は本発明の第３の実施の形態を説明する為の図である。
【図８】図８は本発明の第４の実施の形態を説明する為の図である。
【図９】図９は本発明の第５の実施の形態を説明する為の図である。
【符号の説明】
【００１２】
１        情報処理装置
２        サーバ
３        ネットワーク
１１      送受信部
１２      キーボード
１３      ディスプレイ
１４      動画情報取得部
１５      サムネイル表示部
１６      記憶部
１７      メール作成部
２０      照合部
３０      違法動画検出部
４０      削除確認部
５０      画像キーワード取得部
【発明を実施するための最良の形態】
【００１３】
本発明の実施の形態を説明する。尚、本発明は、動画、静止画をかかわらず、画像一般に適用できるが、以下の説明では、動画を例にして説明する。【００１４】
図１は本発明の実施の形態を説明する為の図である。【００１５】
図１中、１は違法動画を検索する情報処理装置、２は動画サイトのサーバ、３はネットワークである。情報処理装置１は、ネットワーク３を介して、サーバ２の動画Webサイトにアクセス可能である。【００１６】
図２は情報処理装置１のブロック図である。情報処理装置１は、送受信部１１と、キーボード１２と、ディスプレイ１３と、動画情報取得部１４と、サムネイル表示部１５と、記憶部１６と、メール作成部１７とを備える。【００１７】
動画情報取得部１４は、選択した動画サイトのサーバ２にアクセスし、キーボード１２から入力された動画に関するキーワードに関連ある動画の識別情報（動画サイト上で付与されている、以下動画ＩＤと称する）と、その動画のサムネイル画像のＵＲＬとを取得する。そして、取得した動画ＩＤ及びそのサムネイル画像のＵＲＬをサムネイル表示部１５に送る。また、動画ＩＤを記憶部１６に記憶する。【００１８】
具体的には、以下のような手順で自動的に動画の動画ＩＤやサムネイル画像のＵＲＬ（インターネット上にある画像の場所）を取得する。
（１）  例えば、図３のように例えば「abcd」というキーワードで、１ページ目を指定し、動画サイトにアクセスしてソースコードを取得する。
（２）  ソースコードを解析し、１ページ目の動画を所定の個数の動画ＩＤとサムネイル画像のＵＲＬを取得する。
（３）同様に２ページ目、３ページ目、…にアクセスし、動画ＩＤとサムネイル画像のＵＲＬとを取得していく。
（４）そして、取得した動画ＩＤとサムネイル画像のＵＲＬをサムネイル表示部１５に送る。また、動画ＩＤを記憶部１６に記憶する。【００１９】
尚、動画情報取得部１４は、タイマー機能を持たせても良い。タイマー機能により、一定の周期で、キーボード１２から入力された動画に関するキーワードに関連ある動画の動画ＩＤと、その動画のサムネイル画像のＵＲＬとを取得するようにしても良い。【００２０】
サムネイル表示部１５は、動画情報取得部１４からの動画ＩＤ及びその動画のＵＲＬを受けて、キーワードに関連ある動画のサムネイル画像を、動画サイトからダウンロードしてディスプレイ１３に表示する。【００２１】
ここで、動画情報取得部１４及びサムネイル表示部１５によるディスプレイ１３の画面表示例を図４に示す。【００２２】
図４では、設定エリア、検索結果表示エリア、動画再生エリアの３つに分かれている。【００２３】
まず、動画投稿サイト指定エリア（１）内においてチェック対象の動画投稿サイトを決定し、キーワード指定エリア（２）においてキーワードを指定し、検索開始ボタン（３）を押下すると、動画情報取得部１４によって検索が開始される。すると、サムネイル表示部１５によって、サムネイル画像表示エリア（４）にサムネイル画像が表示されていく。【００２４】
サムネイル表示部１５は、図４に示す如く、取得したサムネイル画像をボタンに割り当てて表示し、ユーザの選択により、サムネイル画像のボタンを１回クリックすることにより、サムネイル画像に赤枠を付けて違法な動画を選択するように構成されている。【００２５】
更に、サムネイル表示部１５は、ユーザにより、サムネイル画像のうち、キーボード１２を介して、所定のサムネイル画像が選択された場合、その動画を再生する機能を備える。具体的には、図４に示す如く、取得したサムネイル画像をボタンに割り当てて表示し、サムネイル画像のボタンを２回クリックした時は、そのサムネイル画像に黄色枠を付けて区別できるようにし、その動画を再生するように構成されている。サムネイル画像だけでは、違法な動画か否か判断することが難しい場合があるからである。【００２６】
尚、サムネイル表示部１５は、違法な動画として選択された場合には、その動画ＩＤを記憶部１６に記憶する。【００２７】
メール作成部１７は、動画サイトに削除を依頼する定型文が記憶されており、この定型文と、記憶部１６に記憶されている削除を依頼する動画の動画ＩＤとを記載したメールを作成し、予め記憶されている動画サイトのあて先に、作成したメールを送信する。【００２８】
図５にメール作成部１７により作成されたメールの一例を示す。【００２９】
次に、具体的な違法動画の削除依頼メールの作成までの動作を説明する。【００３０】
まず、違法動画のチェックについて詳しく述べる。検索結果のサムネイル画像を１度クリックするとボタンの枠が赤くなりこれが違法動画であるというマークになる。通常ほとんどの違法動画はサムネイル画像の時点で違法と判断できる。しかし、当然サムネイル画像だけでは分からない場合もあるので、２回クリックすることにより枠線を黄色とし、図４の右側にある動画再生エリアで動画を再生する。【００３１】
動画を閲覧して違法であると判断した場合は、もう一度クリックして赤枠表示とする。すなわち枠が赤色のみ違法、黄色及びグレーのままのものに関しては違法でないと判断し、メール作成の際に赤枠の動画ＩＤのみを取り出してメールの本文に挿入する。【００３２】
ここで、「チェック済みの動画ＩＤでメールを送信する」というボタン（図４における（５））を押すと、図５のように宛先（１）、件名（２）、本文（３）、キーワード（４）、違法動画の動画ＩＤ（５）などが自動的に挿入され、動画投稿サイトに送信する削除依頼メールが作成される。そして、送信ボタンを押すと、メールあて先にメールが送信される。【００３３】
尚、メール作成部１７は、ある一定の条件が整った場合に、削除依頼メールが作成されるようにしても良い。例えば、あるキーワードに関する動画が１００件以上増えたといった条件で、削除依頼メールを生成して送信するように構成しても良い。【００３４】
このように構成することにより、違法の恐れがある動画の動画ＩＤの取得から違法動画の削除依頼のメールの作成の作業を、大幅に効率化することができる。【００３５】
次に、第２の実施の形態について説明する。【００３６】
一度、所定のキーワードで検索して削除依頼の対象動画をチェックし、違法でないと判断して削除依頼対象から除外した動画であっても、再度おなじキーワードで検索すると、チェック対象の動画として上がってきてしまう。このような一度除外した動画も含んだ状態で削除依頼の対象動画をチェックするということは、無駄な作業である。【００３７】
そこで、第２の実施の形態では、過去に一度、所定のキーワードで検索し、削除依頼の対象動画をチェックして一度違法でないと判断した動画については、再度の違法動画のチェック対象とはしない構成とする。【００３８】
上記機能を達成するため、第２の実施の形態では、サムネイル表示部１５が違法動画のチェックを行い、違法でないと判断した動画については、その動画ＩＤを記憶部１６に保存しておくように構成する。【００３９】
更に、図６に示される如く、情報処理装置１は、照合部２０を備える。この照合部２０は新たな検索時に取得した動画ＩＤと記憶部１６に記憶されている動画ＩＤとを照合し、既に保存されている動画ＩＤの動画については、サムネイル表示部１５に動画ＩＤとそのサムネイル画像のＵＲＬとを送信しない。【００４０】
このように構成することにより、一度違法動画のチェックを行って違法動画と判断されたものについては、次回以降の検索ではチェック対象に上がってこないので、無駄な作業を省くことができる。【００４１】
第３の実施の形態を説明する。【００４２】
上述した実施の形態では、違法動画のチェックは人手によって行われる例を説明したが、第３の実施の形態では、取得した動画の情報に基づいて自動的に違法な動画を検出するように構成したものである。【００４３】
図７は第３の実施の形態のブロック図である。【００４４】
図７に示す如く、第１の実施の形態の構成に加えて、違法動画検出部３０を備えている。【００４５】
違法動画検出部３０は、動画情報取得部１４からの動画ＩＤ及びその動画のＵＲＬを受けて動画を取得し、この動画に基づいて、違法な動画を検出する。ここで、違法動画の検出の方法であるが、ひとつは動画に埋め込まれている電子透かし情報を用いる。通常、動画に埋め込まれている電子透かし情報は、その動画の著作権者等の情報である。従って、違法動画検出部３０は、取得した画像から電子透かし情報を検出することにより、その動画をアップした投稿者や、動画がアップされているサイトと本来の著作権者等との関係を判定することができ、関係のないものについては違法動画であることを判定することができる。【００４６】
また、他の違法動画の検出方法として、取得した動画を画像認識することにより、違法な動画を検出する。画像認識の方法としては、画像に表示される放送局のロゴやタイムスーパーなどを識別し、これらを検出した場合には違法画像と判定する方法がある。また、他の画像認識の方法として、一度違法であると判断した動画をデータベース化し、同じ動画が投稿された場合に動画の特徴で同一性を判定して違法画像を検出する方法や、動画の著作権者から提供された画像をデータベース化し、その画像と取得した画像との特徴の同一性を判定することにより、違法画像を検出する方法があるが、これらに限られない。【００４７】
サムネイル表示部１５は、違法動画検出部３０からの動画ＩＤ、その動画のＵＲＬ及び違法画像の検出結果を受けて、キーワードに関連ある動画のサムネイル画像を、違法画像の検出結果と共にディスプレイ１３に表示する。ここで、検出結果の表示方法であるが、違法であると判断した場合は、サムネイル画像の表示枠を赤枠表示とする。【００４８】
尚、上述した例では、画像を用いて電子透かしや画像認識等による違法画像の検出の例を説明したが、画像だけでなく、画像をアップしたユーザの識別情報でも可能である。何故なら、ひとつでも違法な投稿をしているユーザは常習犯である可能性が高い。そこで、そのユーザの識別情報をリスト化し、そのユーザが投稿した動画をチェック対象とする。また、過去に一度でも違法投稿があったユーザに関しても同様に処理することも可能である。尚、動画サイトと提携して、著作権がクリアされた動画を、著作権保持者自身が投稿するケースも考えられるので、その場合はその情報を予め取得しておき、ユーザの識別情報のチェックの対象から外すようにすれば良い。【００４９】
このように違法画像の検出を自動化すれば、更なる効率化を図ることができる。【００５０】
第４の実施の形態を説明する。【００５１】
第１の実施の形態は、メール作成部１７により違法動画の削除依頼メールの作成について述べたが、第４の実施の形態では、これに加えて、違法動画の削除依頼に対して、違法動画の削除が行われたかの追跡調査を行う例について説明する。【００５２】
図８は第４の実施の形態のブロック図である。【００５３】
図８に示す如く、第１の実施の形態の構成に加えて、削除確認部４０を備えている。【００５４】
削除確認部４０は、メール作成部１７による削除依頼メールの送信後、一定時間経過後（例えば、３日後）、サムネイル表示部１５により記憶部１６に記憶された違法動画の動画ＩＤを読み出し、この動画ＩＤの動画が削除されたかどうか追跡調査をおこなう。追跡調査の方法であるが、動画の動画ＩＤを指定して動画サイトにアクセスした場合、その動画の動画ＩＤの動画が削除されていれば、その動画サイトでは、「画面が黒」、「著作権処理者によって削除されました。」、又は「ブラウザのエラー：ページが存在しません。」といった表示がなされる。そこで、予めこのような表示を記憶しておき、画像処理によりそのような表示がなされた場合、削除要請に対してその動画が削除されていると判断することができる。そして、動画が削除されている場合には、記憶部１６に記憶されているその動画の動画ＩＤを削除する。一方、動画の動画ＩＤを指定して動画サイトにアクセスし、その動画ＩＤの動画が再生された場合には、その動画ＩＤをメール作成部１７に通知する。メール作成部１７は、その動画ＩＤの動画に対する削除依頼メールを作成して送信する。【００５５】
尚、削除確認部４０において、違法動画の動画ＩＤの画像の特徴を記憶しておき、動画の特徴に基づいて、削除されているかの判定も可能である。【００５６】
第５の実施の形態を説明する。【００５７】
近年、投稿サイトに投稿する投稿者も悪質な者が増え、投稿する際の題名も、画像のタイトルや内容を直接表すものでなく、摘発から逃れるため、全く見当も付かないキーワードで投稿される場合が増えてきた。【００５８】
そこで、第５の実施の形態では、上述のように全く見当も付かない題名、名称等が付された動画でも、違法動画を検出できるように構成した。【００５９】
図９は第５の実施の形態のブロック図である。【００６０】
図９に示す如く、第１の実施の形態の構成に加えて、画像キーワード取得部５０を備えている。【００６１】
画像のタイトルや内容と全く関係ないキーワードで、動画サイトに投稿したのでは、誰もそういったキーワードで検索する人がいないため、投稿者は、掲示板やコミュニティサイトで、投稿した動画の具体的な題名、名称等とそのキーワードとの関連性が書き込まれているケースが多い。そこで、画像キーワード取得部５０は、予め違法な投稿がされそうな動画の題名、名称、登場人部等のキーワード情報を記憶しておき、一定の周期で掲示板やコミュニティサイトを検索する。そして、これらの掲示板やコミュニティサイトにおいて、キーワード情報を含む文章を検索し、そのキーワード情報と異なるキーワードで、動画投稿サイトにアップした旨の文章があった場合、その動画投稿サイト及びそのキーワードを動画情報取得部１４に渡す。例えば、画像キーワード取得部５０がキーワード情報として「名探偵ＡＡＡ」を記憶しており、ある掲示板に、『「名探偵ＡＡＡ」を「ＢＢＢＢ」というキーワードで投稿サイトＸＸＸにアップロードしておきました』といった文章がある場合、投稿サイトＸＸＸとキーワード「ＢＢＢＢ」とを動画情報取得部１４に渡す。【００６２】
動画情報取得部１４は、画像キーワード取得部５０から取得した情報に基づいて、動画サイトのサーバ２にアクセスし、取得したキーワードに関連ある動画の動画ＩＤと、その動画のサムネイル画像のＵＲＬとを取得する。そして、取得した動画ＩＤ及びそのサムネイル画像のＵＲＬをサムネイル表示部１５に送る。例えば、投稿サイトＸＸＸとキーワードＢＢＢＢとを画像キーワード取得部５０から取得した場合、投稿サイトＸＸＸにアクセスし、キーワードＢＢＢＢに関連する動画の動画ＩＤと、その動画のサムネイル画像のＵＲＬとを取得する。【００６３】
尚、上述した実施の形態の説明では、情報処理装置をハードウェアで構成したが、通常のコンピュータであっても、上述した実施の形態で説明した動作と同様な動作をＣＰＵ等に行わせるプログラムにより、実施することもできる。【００６４】
また、第１から第５の実施の形態を適時組み合わせて構成することも可能である。
【図１】
2008146813.tif 000003
【図２】
2008146813.tif 000004
【図３】
2008146813.tif 000005
【図４】
2008146813.tif 000006
【図５】
2008146813.tif 000007
【図６】
2008146813.tif 000008
【図７】
2008146813.tif 000009
【図８】
2008146813.tif 000010
【図９】
2008146813.tif 000011
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
画像情報取得装置であって、
キーワードを入力する入力手段と、
画像サイトにアクセスし、前記キーワードに関連する画像の識別情報と、前記画像のリンク先のアドレスとを取得する画像情報取得手段と、
前記取得したアドレスに基づいて前記画像のサムネイルデータを取得し、前記画像のサムネイルを表示するサムネイル表示手段と、
表示された画像のサムネイルを選択する選択手段と、
前記選択されたサムネイルに対応する前記画像の識別情報が記憶される記憶手段と、
画像の削除を依頼する定型文を予め記憶しており、前記記憶手段に記憶されている前記画像の識別情報が前記定型文に挿入され、前記選択された画像の削除を前記画像サイトに依頼する削除依頼メールを作成するメール作成手段と
を有することを特徴とする画像情報取得装置。
【請求項２】
選択されなかった画像の識別情報が記憶される記憶手段を有し、
前記サムネイル表示手段は、新たに取得した画像の識別情報と、前記記憶されている選択されなかった画像の識別情報とを比較し、識別情報が同じ画像はサムネイルの表示から除外する
ことを特徴とする請求項１に記載の画像情報取得装置。
【請求項３】
前記画像情報取得手段は、画像サイトのリソースを取得し、前記キーワードを含むリソースから画像の識別情報及び画像のリンク先のアドレスを取得するように構成されていることを特徴とする請求項１又は請求項２に記載の画像情報取得装置。
【請求項４】
前記画像が動画であることを特徴とする請求項１から請求項３のいずれかに記載の画像情報取得装置。
【請求項５】
前記サムネイル表示手段は、選択されたサムネイルの画像の動画を再生する再生手段を有することを特徴とする請求項４に記載の動画情報取得装置。
【請求項６】
前記画像情報取得手段が取得した画像の情報に基づいて、違法な画像を検出する違法画像検出手段を有することを特徴とする請求項１から請求項５のいずれかに記載の画像情報取得装置。
【請求項７】
前記削除依頼メールを送信した画像サイトに対して、削除依頼を行った画像が削除されているかを確認する削除確認手段を有することを特徴とする請求項１から請求項６のいずれかに記載の画像情報取得装置。
【請求項８】
他のサイトを参照し、画像サイトに投稿された画像のキーワードを取得する画像キーワード取得手段を有し、
前記画像情報取得手段は、前記画像キーワード取得手段が取得したキーワードに関連する画像の識別情報と、前記画像のリンク先のアドレスとを取得する
ことを特徴とする請求項１から請求項７のいずれかに記載の画像情報取得装置。
【請求項９】
画像サイトから画像情報を取得する画像情報取得方法であって、
情報処理装置が、画像サイトにアクセスし、ユーザによって入力されたキーワードに関連する画像の識別情報と、前記画像のリンク先のアドレスとを取得する画像情報取得処理と、
情報処理装置が、前記取得したアドレスに基づいて前記画像のサムネイルデータを取得し、前記画像のサムネイルを表示するサムネイル表示処理と、
情報処理装置が、表示された画像のサムネイルから、ユーザにより選択されたサムネイルに対応する前記画像の識別情報を記憶する画像識別情報記憶処理と、
情報処理装置が、予め記憶している、画像の削除を依頼する定型文に、前記画像識別情報記憶処理で記憶した前記画像の識別情報を挿入し、前記選択された画像の削除を前記画像サイトに依頼する画像削除依頼メールを作成する画像削除依頼メール作成処理と
を有することを特徴とする画像情報取得方法。
【請求項１０】
情報処理装置が、ユーザに選択されなかった画像の識別情報を記憶する処理と、
情報処理装置が、新たに取得した画像の識別情報と、前記記憶されている選択されなかった画像の識別情報とを比較し、識別情報が同じ画像はサムネイルの表示から除外する処理と
を有することを特徴とする請求項９に記載の画像情報取得方法。
【請求項１１】
前記画像情報取得処理は、情報処理装置が、画像サイトのリソースを取得し、前記キーワードを含むリソースから画像の識別情報及び画像のリンク先のアドレスを取得することを特徴とする請求項９又は請求項１０に記載の画像情報取得方法。
【請求項１２】
前記画像が動画であることを特徴とする請求項９から請求項１１のいずれかに記載の画像情報取得方法。
【請求項１３】
前記サムネイル表示処理は、情報処理装置がサムネイル表示されている動画を再生する処理を有することを特徴とする請求項１２に記載の画像情報取得方法。
【請求項１４】
情報処理装置が、前記画像情報取得処理で取得した画像の情報に基づいて、違法な画像を検出する違法画像検出処理を有することを特徴とする請求項９から請求項１３のいずれかに記載の画像情報取得方法。
【請求項１５】
情報処理装置が、前記削除依頼メールを送信した画像サイトに対して、削除依頼を行った画像が削除されているかを確認する削除確認処理を有することを特徴とする請求項９から請求項１４のいずれかに記載の画像情報取得方法。
【請求項１６】
情報処理装置が、他のサイトを参照し、画像サイトに投稿された画像のキーワードを取得する画像キーワード取得処理を有し、
前記画像情報取得処理は、前記画像キーワード取得処理で取得したキーワードに関連する画像の識別情報と、前記画像のリンク先のアドレスとを取得する
ことを特徴とする請求項９から請求項１５のいずれかに記載の画像情報取得方法。
【請求項１７】
情報処理装置のプログラムであって、
画像サイトにアクセスし、ユーザによって入力されたキーワードに関連する画像の識別情報と、前記画像のリンク先のアドレスとを取得する画像情報取得処理と、
前記取得したアドレスに基づいて前記画像のサムネイルデータを取得し、前記画像のサムネイルを表示するサムネイル表示処理と、
表示された画像のサムネイルから、ユーザにより選択されたサムネイルに対応する前記画像の識別情報を記憶する画像識別情報記憶処理と、
予め記憶している、画像の削除を依頼する定型文に、前記画像識別情報記憶処理で記憶した前記画像の識別情報を挿入し、前記選択された画像の削除を前記画像サイトに依頼する画像削除依頼メールを作成する画像削除依頼メール作成処理と
を情報処理装置に実行させることを特徴とするプログラム。
【請求項１８】
ユーザに選択されなかった画像の識別情報を記憶する処理と、
新たに取得した画像の識別情報と、前記記憶されている選択されなかった画像の識別情報とを比較し、識別情報が同じ画像はサムネイルの表示から除外する処理と
を情報処理装置に実行させることを特徴とする請求項１７に記載のプログラム。
【請求項１９】
前記画像情報取得処理は、情報処理装置が画像サイトのリソースを取得し、前記キーワードを含むリソースから画像の識別情報及び画像のリンク先のアドレスを取得することを特徴とする請求項１７又は請求項１８に記載のプログラム。
【請求項２０】
前記画像が動画であることを特徴とする請求項１７から請求項１９のいずれかに記載のプログラム。
【請求項２１】
前記サムネイル表示処理は、情報処理装置がサムネイル表示されている動画を再生する処理を有することを特徴とする請求項２０に記載のプログラム。
【請求項２２】
情報処理装置が、前記画像情報取得処理で取得した画像の情報に基づいて、違法な画像を検出する違法画像検出処理を有することを特徴とする請求項１７から請求項２１のいずれかに記載のプログラム。
【請求項２３】
情報処理装置が、前記削除依頼メールを送信した画像サイトに対して、削除依頼を行った画像が削除されているかを確認する削除確認処理を有することを特徴とする請求項１７から請求項２２のいずれかに記載のプログラム。
【請求項２４】
他のサイトを参照し、画像サイトに投稿された画像のキーワードを取得する画像キーワード取得処理を情報処理装置に実行させ、
前記画像情報取得処理は、情報処理装置が、前記画像キーワード取得処理で取得したキーワードに関連する画像の識別情報と、前記画像のリンク先のアドレスとを取得する
ことを特徴とする請求項１７から請求項２３のいずれかに記載のプログラム。
【手続補正２】
【補正対象書類名】明細書
【補正対象項目名】０００７
【補正方法】変更
【補正の内容】
【０００７】
上記課題を解決する本発明は、画像情報取得装置であって、キーワードを入力する入力手段と、画像サイトにアクセスし、前記キーワードに関連する画像の識別情報と、前記画像のリンク先のアドレスとを取得する画像情報取得手段と、前記取得したアドレスに基づいて前記画像のサムネイルデータを取得し、前記画像のサムネイルを表示するサムネイル表示手段と、表示された画像のサムネイルを選択する選択手段と、前記選択されたサムネイルに対応する前記画像の識別情報が記憶される記憶手段と、画像の削除を依頼する定型文を予め記憶しており、前記記憶手段に記憶されている前記画像の識別情報が前記定型文に挿入され、前記選択された画像の削除を前記画像サイトに依頼する削除依頼メールを作成するメール作成手段とを有することを特徴とする。
【手続補正３】
【補正対象書類名】明細書
【補正対象項目名】０００８
【補正方法】変更
【補正の内容】
【０００８】
上記課題を解決する本発明は、画像サイトから画像情報を取得する画像情報取得方法であって、情報処理装置が、画像サイトにアクセスし、ユーザによって入力されたキーワードに関連する画像の識別情報と、前記画像のリンク先のアドレスとを取得する画像情報取得処理と、情報処理装置が、前記取得したアドレスに基づいて前記画像のサムネイルデータを取得し、前記画像のサムネイルを表示するサムネイル表示処理と、情報処理装置が、表示された画像のサムネイルから、ユーザにより選択されたサムネイルに対応する前記画像の識別情報を記憶する画像識別情報記憶処理と、情報処理装置が、予め記憶している、画像の削除を依頼する定型文に、前記画像識別情報記憶処理で記憶した前記画像の識別情報を挿入し、前記選択された画像の削除を前記画像サイトに依頼する画像削除依頼メールを作成する画像削除依頼メール作成処理とを有することを特徴とする。
【手続補正４】
【補正対象書類名】明細書
【補正対象項目名】０００９
【補正方法】変更
【補正の内容】
【０００９】
上記課題を解決する本発明は、情報処理装置のプログラムであって、画像サイトにアクセスし、ユーザによって入力されたキーワードに関連する画像の識別情報と、前記画像のリンク先のアドレスとを取得する画像情報取得処理と、前記取得したアドレスに基づいて前記画像のサムネイルデータを取得し、前記画像のサムネイルを表示するサムネイル表示処理と、表示された画像のサムネイルから、ユーザにより選択されたサムネイルに対応する前記画像の識別情報を記憶する画像識別情報記憶処理と、予め記憶している、画像の削除を依頼する定型文に、前記画像識別情報記憶処理で記憶した前記画像の識別情報を挿入し、前記選択された画像の削除を前記画像サイトに依頼する画像削除依頼メールを作成する画像削除依頼メール作成処理とを情報処理装置に実行させることを特徴とする。
【国際調査報告】
2008146813.tif 000012
2008146813.tif 000013